【手続補正書】
【提出日】平成20年8月8日(2008.8.8)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】  水平方向・垂直方向に配列された複数の画素と、垂直画素列毎に設けられ垂直方向に電荷を転送する複数の垂直電荷転送素子と、前記複数の垂直電荷転送素子から転送される電荷を水平方向に転送する水平電荷転送素子と、前記水平電荷転送素子により転送される電荷を電気信号に変換する出力回路を備えた撮像手段と、
前記撮像手段を所定の複数の読み出しモードで駆動するための駆動パルスを前記撮像手段に供給するタイミング発生手段と、
前記撮像手段の出力信号をアナログ信号からデジタル信号に変換するためのＡ／Ｄ変換手段と、
前記Ａ／Ｄ変換手段の出力信号を所定の信号形式に処理するための信号処理手段と、
前記タイミング発生手段、Ａ／Ｄ変換手段及び信号処理手段を動作させるための所定の周波数のクロックを供給するためのクロック発生手段とを備え、
前記タイミング発生手段は、前記複数の読み出しモードに応じて、前記撮像手段を駆動する駆動周波数を、前記クロック発生手段から供給されるクロックから生成される第１の周波数と、前記第１の周波数より低い第２の周波数とで切り換えることを特徴とする撮像装置。
【請求項２】  前記タイミング発生手段が、前記撮像手段を前記第１の周波数で駆動する読み出しモードは、前記撮像手段から、複数のライン毎にインターレースを行い、複数のフィールド期間で全ての電荷を読み出す第１の読み出しモードであることを特徴とする請求項１に記載の撮像装置。
【請求項３】  前記タイミング発生手段が、前記撮像手段を前記第１の周波数で駆動する読み出しモードは、前記撮像手段から、複数のライン毎の電荷を読み出す第２の読み出しモードであることを特徴とする請求項１に記載の撮像装置。
【請求項４】  前記タイミング発生手段が、前記撮像手段を前記第２の周波数で駆動する読み出しモードは、前記撮像手段から、前記第１の読み出しモードで読み出されるライン数より少ないライン数の電荷を読み出す第３の読み出しモードであることを特徴とする請求項２に記載の撮像装置。
【請求項５】  前記第３の読み出しモードは、前記撮像手段から垂直方向に所定のライン毎に間引いた電荷を読み出す読み出しモードあるいは、垂直方向に所定のライン毎に加算した電荷を読み出す読み出しモードであることを特徴とする請求項４に記載の撮像装置。
【請求項６】  前記撮像手段は、垂直方向に連続する水平画素列に対して１２画素を１組として構成し、それぞれの水平画素列を第１水平画素列、第２水平画素列、第３水平画素列、第４水平画素列、第５水平画素列、第６水平画素列、第７水平画素列、第８水平画素列、第９水平画素列、第１０水平画素列、第１１水平画素列、第１１水平画素列及び第１２水平画素列とし、
第１水平画素列、第４水平画素列、第７水平画素列及び第１０水平画素列の電荷を前記垂直電荷転送素子に選択的に読み出す第１の読み出し手段と、
第２水平画素列、第５水平画素列、第８水平画素列及び第１１水平画素列の電荷を前記垂直電荷転送素子に選択的に読み出す第２の読み出し手段と、
第３水平画素列、第６水平画素列、第９水平画素列及び第１２水平画素列の電荷を前記垂直電荷転送素子に選択的に読み出す第３の読み出し手段と、
第１水平画素列及び第１０水平画素列の電荷を前記垂直電荷転送素子に選択的に読み出す第４の読み出し手段と、
第５水平画素列及び第８水平画素列の電荷を前記垂直電荷転送素子に選択的に読み出す第５の読み出し手段とを備えたことを特徴とする請求項１に記載の撮像装置。
【請求項７】  前記タイミング発生手段が、前記撮像手段を前記第１の周波数で駆動する読み出しモードは、前記第１の読み出し手段を用いて、前記垂直電荷転送素子に読み出した第１水平画素列、第４水平画素列、第７水平画素列及び第１０水平画素列の電荷を、前記垂直電荷転送素子及び前記水平電荷転送素子を介して転送し、それぞれ独立に前記出力回路から出力し、
前記第２の読み出し手段を用いて、前記垂直電荷転送素子に読み出した第２水平画素列、第５水平画素列、第８水平画素列及び第１１水平画素列の電荷を、前記垂直電荷転送素子及び前記水平電荷転送素子を介して転送し、それぞれ独立に前記出力回路から出力し、
前記第３の読み出し手段を用いて、前記垂直電荷転送素子に読み出した第３水平画素列、第６水平画素列、第９水平画素列及び第１２水平画素列の電荷を、前記垂直電荷転送素子及び前記水平電荷転送素子を介して転送し、それぞれ独立に前記出力回路から出力することにより、前記撮像手段の全ての電荷を読み出す第４の読み出しモードであることを特徴とする請求項６に記載の撮像装置。
【請求項８】  前記タイミング発生手段が、前記撮像手段を前記第１の周波数で駆動する読み出しモードは、前記第１の読み出し手段、前記第２の読み出し手段及び前記第３の読み出し手段のいずれか一つを用いて、前記垂直電荷転送素子に読み出した水平画素列を、前記垂直電荷転送素子及び前記水平電荷転送素子を介して転送し、それぞれ独立に前記出力回路から出力することにより、前記撮像手段の電荷を垂直方向に１／３に間引いて読み出す第５の読み出しモードであることを特徴とする請求項６に記載の撮像装置。
【請求項９】  前記タイミング発生手段が、前記撮像手段を前記第１の周波数で駆動する読み出しモードは、前記第１の読み出し手段及び前記第３の読み出し手段を用いて、前記垂直電荷転送素子に読み出した前記第１水平画素列及び前記第３水平画素列、前記第４水平画素列及び前記第６水平画素列、前記第７水平画素列及び前記第９水平画素列、前記第１０水平画素列及び前記第１２水平画素列の電荷をそれぞれ前記垂直電荷転送素子内で加算し、前記加算した信号を、前記垂直電荷転送素子及び前記水平電荷転送素子を介して転送し、それぞれ独立に前記出力回路から出力することにより、２画素分の信号が加算され、かつ垂直方向に１／３に間引いて読み出す第６の読み出しモードであることを特徴とする請求項６に記載の撮像装置。
【請求項１０】  前記タイミング発生手段が、前記撮像手段を前記第２の周波数で駆動する読み出しモードは、前記第４の読み出し手段及び前記第５の読み出し手段のいずれか一つを用いて、前記垂直電荷転送素子に読み出した水平画素列を、前記垂直電荷転送素子及び前記水平電荷転送素子を介して転送し、それぞれ独立に前記出力回路から出力することにより、前記撮像手段の電荷を垂直方向に１／６に間引いて読み出す第７の読み出しモードであることを特徴とする請求項６に記載の撮像装置。
【請求項１１】  前記タイミング発生手段が、前記撮像手段を前記第２の周波数で駆動する読み出しモードは、前記第４の読み出し手段及び前記第５の読み出し手段を用いて、前記垂直電荷転送素子に読み出した前記第１水平画素列及び前記第５水平画素列、前記第８水平画素列及び前記第１０水平画素列の電荷をそれぞれ前記垂直電荷転送素子内で加算し、前記加算した信号を、前記垂直電荷転送素子及び前記水平電荷転送素子を介して転送し、それぞれ独立に前記出力回路から出力することにより、２画素分の信号が加算され、かつ垂直方向に１／６に間引いて読み出す第８の読み出しモードであることを特徴とする請求項６に記載の撮像装置。
【請求項１２】  水平方向及び垂直方向に配列された光信号に対応した電荷を発生する複数の画素と、垂直方向の複数の画素列毎に設けられ、前記画素で発生した電荷を受けて垂直方向に転送する複数の垂直電荷転送素子と、前記複数の垂直電荷転送素子から転送される電荷を受けて水平方向に転送する水平電荷転送素子とを有する撮像手段と、
インターレース動作で複数フィールドの信号を前記撮像手段より読み出す第１の読み出しモードと、複数ライン毎の画素の信号を間引いた１フィールドの信号を前記撮像手段より読み出す第２の読み出しモードと、前記第２の読み出しモードよりも間引くライン数を多くして１フィールドの信号を前記撮像手段より読み出す第３の読み出しモードとで駆動するタイミング発生手段とを有し、
前記タイミング発生手段は、前記第１及び第２の読み出しモードを第１の駆動周波数で駆動し、前記第３の読み出しモードを前記第１の駆動周波数よりも低い第２の駆動周波数で駆動することを特徴とする撮像装置。
【請求項１３】  前記第１の読み出しモードは、２ライン毎の画素の信号を間引くことによってインターレース動作を行い、３フィールドの信号を前記撮像手段より読み出し、第２の読み出しモードでは、２ライン毎の画素の信号を間引くことによって、１フィールドの信号を前記撮像手段より読み出し、前記第３の読み出しモードでは、前記第２の読み出しモードの半分のライン数で１フィールドの信号を読み出すことを特徴とする請求項１２に記載の撮像装置。
【請求項１４】  前記撮像手段から出力された信号を用いて動画像を表示する表示手段と、前記第１の読み出しモードで得られた信号に対して静止画像処理を行い、静止画像を記録し、前記第２の読み出しモードで得られた信号に対して動画像処理を行い、動画像を記録し、前記第３の読み出しモードで得られた信号を用いて動画像を前記表示手段に表示するように制御する制御手段を有することを特徴とする請求項１２又は請求項１３に記載の撮像装置。
【手続補正３】
【補正対象書類名】明細書
【補正対象項目名】０００１
【補正方法】変更
【補正の内容】
【０００１】
【発明の属する技術分野】
本発明は、撮像装置に関し、特に撮像手段の読み出し制御に関するものである。
【手続補正４】
【補正対象書類名】明細書
【補正対象項目名】００１０
【補正方法】削除
【補正の内容】